(57)【要約】ＯＬＥＤ又はＬＣＤ系の表示部を備えた表示システムおける、環境光を低減するためのシステム及び方法の開示である。基本表示部が環境光低減（ＡＬＲ）構造体にインタフェースして表示システムが形成される。ＡＬＲ構造体はＡＬＲ要素を含んでいる。ＡＬＲ要素は、フォトクロミック要素又は固定中性濃度要素であってよい。ＡＬＲ構造体は、基本表示部の内部で発生し、次いで表示システムから周囲環境に放射される出射折り返し環境光を減衰させるだけでなく、入射環境光も減衰させる。これにより、基本表示部単独の場合と比較して、周囲コントラストが向上する。
2017512318.tif 000002
【特許請求の範囲】
【請求項１】
低照度又は高照度周囲環境のいずれかにおいて、表示画像を表示する表示システムであって、
前記表示画像を生成するように構成された基本表示部であって、有機発光ダイオード（ＯＬＥＤ）表示装置又は液晶表示装置（ＬＣＤ）の少なくとも１つを備え、上面及び該上面に入射した環境光から折り返し環境光を形成する構造体を有する表示部、
前記基本表示部の前記上面にインタフェースし、上面及びフォトクロミック要素を有する環境光低減（ＡＬＲ）構造体であって、前記環境光が、前記基本表示部に向けて、前記フォトクロミック要素を通して伝搬し、前記構造体と相互作用して前記折り返し環境光を形成し、該折り返し環境光が、前記フォトクロミック要素を通し、前記上面から外部に伝搬するＡＬＲ構造体、
前記低照度周囲環境において、通過する環境光又は折り返し環境光のいずれも実質的に減衰させない、透明モードを有する前記フォトクロミック要素、及び
前記高照度周囲環境において、通過する環境光及び折り返し環境光を実質的に減衰させる、ダークモードを有する前記フォトクロミック要素
を備えたことを特徴とする表示システム。
【請求項２】
前記フォトクロミック要素が、前記透明モードにおいて透過率Ｔ１、前記ダークモードにおいて透過率Ｔ２を有し、８０％≦Ｔ１≦１００％、３０％≦Ｔ２≦８５％であって、Ｔ２＜Ｔ１であることを特徴とする、請求項１記載の表示システム。
【請求項３】
前記ダークモードが、前記フォトクロミック要素が偏光性を持つ偏光モードを含む、請求項１又は２記載の表示システム。
【請求項４】
前記フォトクロミック要素が、化学的に強化されたフォトクロミックガラスを含むことを特徴とする、請求項１〜３いずれか１項記載の表示システム。
【請求項５】
前記前記フォトクロミック要素が、フォトクロミック接着剤層、フォトクロミック層、又はフォトクロミックカバーシートの１つを含むことを特徴とする、請求項１〜４いずれか１項記載の表示システム。
【請求項６】
低照度又は高照度周囲環境のいずれかにおいて、表示画像を表示する表示システムであって、
前記表示画像を生成するように構成された基本表示部であって、有機発光ダイオード（ＯＬＥＤ）表示装置を備え、上面及び該上面に入射した環境光から折り返し環境光を形成する構造体を有する表示部、及び
前記基本表示部の前記上面にインタフェースし、上面及び中性濃度要素を有する環境光低減（ＡＬＲ）構造体であって、前記環境光が、前記基本表示部に向けて、前記中性濃度要素を通して伝搬し、前記構造体と相互作用して前記折り返し環境光を形成し、該折り返し環境光が、前記中性濃度要素を通し、前記上面から外部に伝搬するＡＬＲ構造体を備え、
前記中性濃度要素が、可視波長に対し固定透過率Ｔであって、３０％≦Ｔ≦８５％の透過率を有する
ことを特徴とする表示システム。
【請求項７】
前記中性濃度要素が、厚さＴＨ１であって、０．５ｍｍ≦ＴＨ１≦５ｍｍの厚さを有する、単一の中性濃度ガラスシートから成ることを特徴とする、請求項６記載の表示システム。
【請求項８】
上面を有し、上面及び環境光から折り返し環境光を形成する構造体を有する基本表示部を備えた、表示システムによって放射される折り返し環境光の量を低減する方法であって、
前記基本表示部の上面の近傍に、低環境光を含む低照度環境において透明モードを有し、高環境光を含む高照度環境においてダークモードを有する、フォトクロミック要素を配置するステップ、
前記低照度環境且つ前記透明モードであるとき、前記フォトクロミック要素を通して、前記低環境光を前記構造体に送って前記折り返し環境光を形成し、該折り返し環境光の第１の量を、前記フォトクロミック要素を通して、前記表示上面から外部に放射するステップ、及び
前記高照度環境且つ前記ダークモードであるとき、前記フォトクロミック要素を通して、前記高環境光を前記構造体に送って前記折り返し環境光を形成し、該折り返し環境光を前記フォトクロミック要素に通して、前記表示上面から外部に放射される、前記折り返し環境光の第２の量を生成するステップ、
を有してなり、
前記折り返し環境光の前記第２の量が、該折り返し環境光の前記第１の量より少ない
ことを特徴とする方法。
【請求項９】
前記フォトクロミック要素が、フォトクロミックカバーシート、フォトクロミック接着剤層、又はフォトクロミック層の１つを含むことを特徴とする、請求項８項記載の表示システム。
【請求項１０】
上面及び環境光から折り返し環境光を形成する構造体を有する、有機発光ダイオード（ＯＬＥＤ）の基本表示部から放射される、前記折り返し環境光の量を低減する方法であって、
前記基本表示部の上面の近傍に、固定透過率Ｔ、厚さＴＨ１、及び周囲環境と直接インタフェースする上面を有する中性濃度要素であって、３０％≦Ｔ≦８５％及び０．５ｍｍ≦ＴＨ１≦５ｍｍである要素を配置するステップ、
前記中性濃度要素を通して、前記環境光を前記構造体に送って前記折り返し環境光を形成するステップ、及び
前記折り返し環境光を、前記中性濃度要素及び前記上面を通して、前記周囲環境に放射するステップ
を有してなることを特徴とする方法。
【発明の詳細な説明】
【関連技術の相互参照】
【０００１】
本出願は、２０１４年２月１４日出願の米国仮特許出願第６１／９３９９８２号の優先権を主張するものであって、その内容に依拠し、参照により全内容が本明細書に組み込まれたものとする。
【技術分野】
【０００２】
本開示は、表示装置、特に有機発光ダイオード（ＯＬＥＤ）表示システム及び液晶表示（ＬＣＤ）システムに関し、より詳細には、かかるシステムの環境光を低減するシステム及び方法に関するものである。
【背景技術】
【０００３】
ＯＬＥＤ表示装置やＬＣＤは、コンピュータ、テレビのスクリーン、スマートフォン、タブレットコンピュータ等、様々な装置に使用されている。ＯＬＥＤ表示装置は、２つの電極間に配置された有機半導体層から光を発する、有機ＬＥＤパネルを使用するため、バックライトを必要としない。ＬＣＤは液晶パネルを用いて、バックライト又は反射面からの光を変調する。
【０００４】
ＯＬＥＤ表示装置及びＬＣＤは、それぞれ幾つかの異なる層から成っている。例えば、ＯＬＥＤ表示装置は、前述の有機半導体層と２つの電極（即ち、陽極と陰極）、及び支持基板から成る、ＯＬＥＤアレイを有している。同様に、標準的なＬＣＤは、偏光膜、透明電極を備えたガラス基板、ＬＣ層、透明導電電極を備えた透明ガラス基板、別の偏光層、及び反射面又はバックライト面を有している。これ等の層構造は、周囲環境から表示装置に入った環境光を、鏡面的及び拡散的のいずれにも折り返す傾向にある。折り返し環境光の一部は、表示装置から出射して、表示を見ている人の目に入る。これによって、表示コントラストが低下し、従って、表示の可読性が低下する。
【発明の概要】
【発明が解決しようとする課題】
【０００５】
表示に与える環境光の悪影響を低減する従来の１つの方法は、最外表示層又はカバーシートに反射防止（ＡＲ）膜を施すことである。この方法は、表示装置からの鏡面反射成分の低減には有益であるが、表示装置内部の様々な層から生じる、折り返し成分の低減にはあまり効果はない。事実、ＡＲ膜は、表示装置に入って折り返される環境光の量を増加させるため、拡散折り返し光を増幅する傾向がある。折り返し環境光は、明るい環境下、取分け屋外において、特に問題となり得る。
【課題を解決するための手段】
【０００６】
ＯＬＥＤ表示装置及びＬＣＤにおける、環境光を低減するためのシステム及び方法の開示である。基本表示部が環境光低減（ＡＬＲ）構造体にインタフェースして、表示システムが形成される。ＡＬＲ構造体は、少なくとも１つのＡＬＲ要素を含んでいる。ＡＬＲ要素は、フォトクロミック要素又は固定中性濃度要素であってよい。ＡＬＲ構造体は、基本表示部の内部で発生し、次いで表示システムから周囲環境に放射される出射折り返し環境光を減衰させるだけでなく、入射環境光も減衰させる。これにより、基本表示部単独の場合と比較して、周囲コントラストが向上する。
【０００７】
本開示の１つの態様は、低照度又は高照度周囲環境のいずれかにおいて、表示画像を表示する表示システムである。このシステムは、表示画像を生成するように構成された基本表示部であって、有機発光ダイオード（ＯＬＥＤ）表示装置、又は液晶表示装置（ＬＣＤ）の少なくとも１つを備え、上面及び入射した環境光から折り返し環境光を形成する構造体を有する表示部；基本表示部の上面にインタフェースし、上面及びフォトクロミック要素を有する環境光低減（ＡＬＲ）構造体であって、環境光が、基本表示部に向けて、フォトクロミック要素を通して伝搬し、構造体と相互作用して折り返し環境光を形成し、折り返し環境光が、フォトクロミック要素を通し、上面から外部に伝搬するＡＬＲ構造体；低照度周囲環境において、通過する環境光又は折り返し環境光のいずれも実質的に減衰させない、透明モードを有するフォトクロミック要素；及び高照度周囲環境において、通過する環境光及び折り返し環境光を実質的に減衰させる、ダークモードを有するフォトクロミック要素を備えている。
【０００８】
本開示の別の態様は、低照度又は高照度周囲環境のいずれかにおいて、表示画像を表示する表示システムである。このシステムは、表示画像を生成するように構成された基本表示部であって、ＯＬＥＤ表示装置を備え、上面及び入射した環境光から折り返し環境光を形成する構造体を有する表示部、及び基本表示部の上面にインタフェースし、上面及び中性濃度要素を有するＡＬＲ構造体であって、環境光が、基本表示部に向けて、中性濃度要素を通して伝搬し、構造体と相互作用して折り返し環境光を形成し、折り返し環境光が、中性濃度要素を通し、上面から外部に伝搬するＡＬＲ構造体を備え、中性濃度要素が、可視波長に対し固定透過率Ｔであって、３０％≦Ｔ≦８５％の透過率を有している。
【０００９】
本開示の別の態様は、上面を有し、上面及び環境光から折り返し環境光を形成する構造体を有する基本表示部を備えた、表示システムによって放射される折り返し環境光の量を低減する方法である。この方法は、基本表示部の近傍に、低環境光を含む低照度環境において透明モードを有し、高環境光を含む高照度環境においてダークモードを有する、フォトクロミック要素を配置するステップ、低照度環境且つ透明モードであるとき、フォトクロミック要素を通して、低環境光を構造体に送って折り返し環境光を形成し、折り返し環境光の第１の量を、フォトクロミック要素を通して、表示上面から外部に放射するステップ、及び高照度環境且つダークモードであるとき、フォトクロミック要素を通して、高環境光を構造体に送って折り返し環境光を形成し、折り返し環境光をフォトクロミック要素に通して、表示上面から外部に放射される、折り返し環境光の第２の量を生成するステップを有してなり、減衰した折り返し環境光の第２の量が、折り返し環境光の第１の量より少ない方法である。
【００１０】
本開示の別の態様は、上面及び環境光から折り返し環境光を形成する構造体を有する、ＯＬＥＤの基本表示部から放射される、折り返し環境光の量を低減する方法である。この方法は、基本表示部の上面の近傍に、固定透過率Ｔ、厚さＴＨ１、及び周囲環境と直接インタフェースする上面を有する中性濃度要素であって、３０％≦Ｔ≦８５％及び０．５ｍｍ≦ＴＨ１≦５ｍｍである要素を配置するステップ、中性濃度要素を通して、環境光を構造体に送って折り返し環境光を形成するステップ、及び折り返し環境光を、中性濃度要素及び上面を通して、前記周囲環境に放射するステップを備えている。
【００１１】
更なる特徴及び効果はこれに続く「発明を実施するための形態」に述べてあり、当業者はその記述から、一部は容易に明らかであり、本明細書及び特許請求の範囲、並びに添付図面に記載の実施の形態を実施することによって認識できるであろう。前述の概要説明及び以下の「発明を実施するための形態」は単なる例示であって、特許請求の範囲の本質及び特徴を理解するための概要、及び枠組みの提供を意図したものであると理解されたい。
【００１２】
添付図面は理解を深めるためのものであり、本明細書に組み込まれ、その一部を構成するものである。図面は１つ以上の実施の形態を説明するもので、「発明を実施するための形態」と併せ、様々な実施の形態の原理及び作用の説明に役立つものである。従って、本開示は、添付図面と併せ、以下の「発明を実施するための形態」から、より完全に理解されるであろう。
【図面の簡単な説明】
【００１３】
【図１】本開示による表示システムを含む、例示的な表示装置の前立面図であって、一例として、スマートフォンの形態を成す表示装置及びその表示画像を示す図。
【図２】ＯＬＥＤ又はＬＣＤ基本表示部、及び基本表示部にインタフェースし、少なくとも１つのＡＬＲ要素を有するＡＬＲ構造体を備えた、本開示による例示的な表示装置の断面図。
【図３】ＡＬＲ要素が、化学的に強化されたフォトクロミックカバーシートを備えた、図２と同様の例示的な表示装置の断面図。
【図４Ａ】低照度環境における図３の例示的な表示装置を示す図であって、環境光がどのように表示装置に入射して、表示画像を見ているユーザーの目に入る、折り返し環境光が形成されるかを示す図。
【図４Ｂ】図４Ａと同様であるが、化学的に強化されたフォトクロミックカバーシートを暗くする高照度環境下における表示装置を示す図であって、これによって、カバーシートが透明のままであるとしたときの量と比較して、ユーザーに届くであろうと思われる折り返し環境光の量の低減に役立つことを示す図。
【図５】図４Ｂと同様の図であって、ＡＬＲ構造体のＡＬＲ要素が、中性濃度層を備えた、表示システムの例示的な実施の形態を示す図。
【図６Ａ】図４Ａと同様の図であって、ＡＬＲ構造体のＡＬＲ要素が、フォトクロミック接着剤層を備えた、表示システムの例示的な実施の形態を示す図。
【図６Ｂ】図４Ｂと同様の図であって、ＡＬＲ構造体のＡＬＲ要素が、フォトクロミック接着剤層を備えた、表示システムの例示的な実施の形態を示す図。
【図７Ａ】図６Ａと同様の図であって、ＡＬＲ構造体のＡＬＲ要素が、フォトクロミック層を備えた、表示システムの例示的な実施の形態を示す図。
【図７Ｂ】図６Ｂと同様の図であって、ＡＬＲ構造体のＡＬＲ要素が、フォトクロミック層を備えた、表示システムの例示的な実施の形態を示す図。
【発明を実施するための形態】
【００１４】
添付図面に例を示す、本開示の様々な実施の形態について詳細に説明する。図面全体を通し、同一又は同様の部品には、可能な限り、同じ又は同様の参照番号及び符号を用いている。図面は必ずしも縮尺通りではなく、当業者は、本開示の重要な側面を説明するために、図面のどこが簡略化されているかを認識するであろう。
【００１５】
以下に記載する特許請求の範囲は本「発明を実施するための形態」に組み込まれその一部を構成するものである。
【００１６】
本明細書に記載の任意の出版物及び特許文献のすべての開示は、参照により、本明細書に組み込まれたものとする。
【００１７】
参照のために、一部の図に直交座標が示してあるが、方向又は向きについて、限定を意図したものではない。
【００１８】
本明細書で使用する「周囲コントラスト」という用語は、昼光下における表示の可読性の尺度であって、例えば、Ｋｅｌｌｅｙ他による論文、「Ｄｉｓｐｌａｙ  ｄａｙｌｉｇｈｔ  ａｍｂｉｅｎｔ  ｃｏｎｔｒａｓｔ  ｍｅａｓｕｒｅｍｅｎｔ  ｍｅｔｈｏｄｓ  ａｎｄ  ｄａｙｌｉｇｈｔ  ｒｅａｄａｂｉｌｉｔｙ」Ｊ．Ｓｏｃ．Ｉｎｆｏｒｍａｔｉｏｎ  Ｄｉｓｐｌａｙ  １４、Ｎｏ．１１  （Ｎｏｖｅｍｂｅｒ  ２００６）１０１９〜１０３０に記載されている。
【００１９】
周囲コントラスト比（ＡＣＲ）は、ＢＢ／ＢＤで規定され、ＢＢは明るい画像を表示するときの表示部の明るさであり、ＢＤは暗い画像を表示するときの表示部の明るさである。ＡＣＲは、選択された量の環境照明が、表示装置に存在しているときに測定される。
【００２０】
「フォトクロミック要素」という用語は、低照度周囲環境において、実質的に透明である、第１のモード（又は「透明」モード）を有し、高照度周囲環境において、透明モードと比較してかなりの減衰を有する、第２のモード（又は「ダーク」モード）を有する要素を意味する。第１と第２のモード間の遷移は、高照度環境下に存在する、活性光の実質的な量によって生じる。１つの例において、活性光は非可視（例えば、紫外）波長を有している。第１と第２のモード間の遷移は連続的であってよく、フォトクロミック要素を通過する活性光の量に依存する。低照度環境において、多少の活性光は存在することができるが、フォトクロミック要素の透過率が、第１から第２のモードへの実質的な変化を開始するのに十分な量であってはならない。第１又は「透明」モードにおける透過率をＴ１で示し、第２又は「ダーク」モードにおける透過率をＴ２で示す。
【００２１】
本明細書において、以下に説明する、環境光低減（ＡＬＲ）要素に関連して使用される「透過率」は、要素のバルク光透過率、即ち、表面反射による透過損失を含まない透過率を意味する。ＡＬＲ要素の透過率は、単位長当りの吸光度αにＡＬＲ要素の厚さを乗じて決定することができる。
【００２２】
「表示装置」
図１は、一例としてスマートフォンの形態で示す、例示的な表示装置１０の前立面図である。表示装置１０は、低照度及び高照度環境下において使用可能と思われる、多くの異なる種類の表示装置の１つであってよい。表示装置の例には、スマートフォン、携帯電話、タブレット、電子リーダー、ラップトップコンピュータ、テレビ等が含まれる。表示装置１０は、以下に詳細に説明する、本開示による表示システム２０を備えている。表示装置１０は、表示システム２０に入射して内部に入ることができる、環境光１００を含む周囲環境９０下に存在している。表示システム２０に入った環境光１００（即ち、入射光）によって、周囲コントラストを低下させる出射光として、表示システムの上面から放射される、折り返し環境光１０１が生じる可能性がある。
【００２３】
「表示システム」
図２は、本開示による表示システム２０のｘ−ｚ断面図である。表示システム２０は、基本表示部３０を備えている。基本表示部３０は、ＯＬＥＤ又はＬＣＤ系の表示装置であってよい。基本表示部３０は、上面３２及び周囲環境９０から表示システム２０に入って入射した環境光１００を拡散的に折り返す、１つ以上の構造体３４を備えている。構造体３４は、入射した環境光１００を拡散的及び鏡面的に反射することができる。１つの例において、構造体３４は、折り返し環境光１０１が、基本表示部内部の異なる深さから生じることができるように、基本表示部３０の異なる層間の屈折率差によって規定される。
【００２４】
基本表示部３０は、視聴者（ユーザー）１２０の目に入る、基本表示部によって形成された対応する表示画像を表わす表示光３６を放射する。従って、表示光３６は「表示画像」３６とも呼ばれる。例示的な表示画像３６を図１の表示システム２０に示す。
【００２５】
表示システム２０は、表示システムの上面を画成する上面４２、及び基本表示部３０の上面にインタフェースする下面４４を有する、環境光低減（ＡＬＲ）構造体４０も備えている。一般的に、上面４２は、表示システム２０の最外表面、即ち、周囲環境９０とインタフェースする表面を表わしている（従って、上面４２は表示システムの上面でもある）。このように、表示画像３６は、ＡＬＲ構造体４０を通して、視聴者１２０の目に入る。
【００２６】
ＡＬＲ構造体４０の機能は、ＡＬＲ構造体がないときに、基本表示部３０から放射される折り返し環境光の量と比較して、表示システム２０の上面４２から放射される折り返し環境光１０１の量を、実質的に低減することである。１つの例において、十分に高いＡＣＲ、例えば、ＡＣＲ＞１０、ＡＣＲ＞５０、あるいはＡＣＲ＞１００を維持しつつ、この機能が達成される。１つの例において、ＡＬＲ構造体４０を備えた表示システム２０のＡＣＲが、基本表示部３０のＡＣＲより高い。
【００２７】
ＡＬＲ構造体４０は、上面５２を有する、少なくとも１つのＡＬＲ要素５０を含んでいる。１つの例において、ＡＬＲ要素５０は、前述の低照度又は高照度環境下にあるかに応じて透明及びダークモードを有する、フォトクロミック要素を備えている。別の例において、ＡＬＲ要素５０は、単位長α当りの選択された減衰量を規定する、非変化（固定）の中性濃度を有し、それによって所与の深さＴＨ１に対する選択された（固定）透過率Ｔが規定される。異なるＡＬＲ要素５０を備えた、ＡＬＲ構造体４０を用いる例示的な表示システム２０について、以下詳細に説明する。
【００２８】
ＡＬＲ要素５０の例示的な材料には、ガラス又はポリマーが含まれる。厚さＴＨ１の例示的な厚さ範囲は０．０５ｍｍ≦ＴＨ１≦５ｍｍである。ポリマー系のフォトクロミックＡＬＲ要素５０の場合、吸光度αの例示的な範囲は０．２ｃｍ−１≦α≦１００ｃｍ−１である。ガラス系のフォトクロミックＡＬＲ要素５０の場合、吸光度αの例示的な範囲は０．２ｃｍ−１≦α≦１０ｃｍ−１である。
【００２９】
「化学的に強化されたフォトクロミックカバーシートを備えた表示システム」
図３は図２と同様であって、例示的な表示システム２０の断面を示す図である。ＡＬＲ構造体４０は、表面３２の上に配置され、上面６２及び下面６４を有する、実質的に透明な接着剤層６０を備えている。透明な接着剤層６０の例示的な材料には、シリコーン樹脂及び光架橋ポリマーが含まれる。１つの例において、接着剤層６０は、ＡＬＲ構造体４０を基本表示部３０に取り付ける（インタフェースする）役割を果たしている。
【００３０】
ＡＬＲ構造体４０は、上面４２を画成する上面７２を有する反射防止（ＡＲ）膜７０も備えている。ＡＬＲ要素５０は、透明接着剤層６０とＡＲ膜７０との間に挟持されている。
【００３１】
ＡＬＲ構造体４０のＡＬＲ要素５０は、透明接着剤層６０の上面６２の上に配置された、化学的に強化されたフォトクロミックカバーシート５１を備えている。１つの例において、ＡＬＲ要素５０は、図３に示すように、厚さＴＨ１の単一のフォトクロミックカバーシート５１から成っている。１つの例において、フォトクロミックカバーシート５１の厚さは０．５ｍｍ≦ＴＨ１≦５ｍｍである。１つの例において、フォトクロミックカバーシート５１は、化学的に強化されたガラスから成っている。かかるガラスの例には、ハロゲン化銀等のフォトクロミック材料をガラス母材に組み込んだ、Ｇｏｒｉｌｌａ（登録商標）ガラス（ニューヨーク州、コーニング市のコーニング社から入手可能）が挙げられる。別の例において、フォトクロミックカバーシート５１は、例えば、トリアリールメタン、スチルベン、アザスチルベン、ニトロン、フルギド、スピロピラン、ナフトピラン、スピロオキサジン、キノン等、本技術分野で周知の１つ以上の種類のフォトクロミック有機分子を含む、例えば、プラスチック、ポリマー、アクリル等のガラス以外の材料から成っている。
【００３２】
図４Ａは図３と同様であり、低照度環境９０Ｌにおいて、表示システム２０がどのように動作するかを示す図である。説明を容易にするため、表示画像３６を１つの大きな矢印で示し、表示システム２０の内部の屈折効果は無視している。ＡＲ膜７０の上面７２に、ｚ方向に対して入射角θで入射する、低照度環境９０Ｌからの弱い（即ち、低輝度の）環境光１００Ｌが示されている。低照度環境９０Ｌにおいては、フォトクロミックカバーシートは、透明モード、即ち、（例えば、８０％以上の）透過率Ｔ１を有しているため、低照度環境下においては実質的に透明である。ＡＲ膜７０によって、鏡面反射された光１００ＳＲ（点線）の量が低減される。ＡＲ膜７０が存在している場合、環境光の法線入射における鏡面反射は、一般に４％未満である。このことは、より多くの弱い環境光１００Ｌが表示システム２０に入ることを意味している。
【００３３】
表示システム２０に入った弱い環境光１００Ｌの一部は、基本表示部３０の構造体３４によって、角度範囲φにわたって折り返され、折り返し環境光１０１が形成されることになる。角度範囲φは、ほとんどの折り返し環境光１０１が伝搬する範囲を規定するものである。折り返し環境光１０１の一部は、角度範囲φの外部に存在することができる。１つの例において、折り返し環境光１０１は、拡散的に反射された光及び鏡面的に反射された光を含んでいる。また、折り返し環境光１０１は、散乱光も含むことができる。
【００３４】
折り返し環境光１０１の一部（破線矢印）は、透明接着剤層６０、フォトクロミックカバーシート５１、及びＡＲ膜７０を通して伝搬し、表示システム２０の上面４２から放射され、表示画像３６を見ようとしている視聴者１２０に到達する。この時点までは、低照度環境９０Ｌ下における表示システム２０の動作は、透き通ったカバーシートを使用する、従来の表示システムと同じである。
【００３５】
図４Ｂは図４Ａと同様であるが、表示システム２０は、明るい環境光１００Ｂを含む高照度環境９０Ｂ下に存在している。図４Ｂの例において、高照度環境９０Ｂは昼光環境であり、明るい環境光１００Ｂは昼光、例えば、太陽９１からの直接又は間接的な太陽光である。低照度環境９０Ｌと同様に、ＡＲ膜７０は、フォトクロミックカバーシート５１の上面５２からの明るい環境光１００Ｂの反射量を低減し、より多くの明るい環境光が表示システム２０に入るようにする。
【００３６】
明るい環境光１００Ｂの非可視（例えば、紫外）活性化成分によって、フォトクロミックカバーシート５１において、フォトクロミック効果が誘発され、フォトクロミックカバーシートが透明モードからダークモードに遷移し、可視スペクトルにわたり、透過率がＴ２に低下する（即ち、Ｔ２＜Ｔ１）。この低下した透過率Ｔ２によって、フォトクロミックカバーシートが灰色に変化し、可視スペクトル波長の中性濃度（即ち、一般的に均一な）減衰を示す。
【００３７】
フォトクロミックカバーシート５１を通して伝搬する際の、明るい環境光１００Ｂの減衰によって、フォトクロミックカバーシートが、透明モードのままであるとした場合（又はフォトクロミックカバーシートが無いとした場合）の量と比較して、基本表示部３０の内部構造体３４に到達する明るい環境光の量が低減する。基本表示部３０の内部構造体３４に到達した明るい環境光１００Ｂの一部が、前述の角度範囲φにわたり折り返され、前述の折り返し環境光１０１が形成される。
【００３８】
折り返し環境光１０１は、フォトクロミックカバーシート５１を通して伝搬して戻る際に減衰して、減衰折り返し環境光１０２が形成される。減衰折り返し環境光１０２は、ＡＲ膜７０を通過し、この光の一部が、表示画像３６を見ている視聴者１２０の目に入る。
【００３９】
このように、表示システム２０が高照度環境９０Ｂ下にあるとき、明るい環境光１００Ｂは、（ダークモードの）フォトクロミックカバーシート５１を２度通過することによって、２度減衰するが、表示システム２０が低照度環境９０Ｌ下にあるときは、（透明モードの）フォトクロミックカバーシート５１を２度通過するとき、実質的に全く（又は実質的に殆ど）減衰しない。従って、透明モードの表示システム２０から放射される折り返し環境光１０１の量は、ダークモードにおいて放射される量より多い。
【００４０】
ここで、ＡＲ膜７０は、上面７２の空気界面で機能を果たすように設計されているため、ＡＬＲ構造体４０の内部からＡＲ膜を通して伝搬する光に対し、通常、有効なＡＲ障壁にならないことに留意されたい。
【００４１】
フォトクロミックカバーシート５１を使用することによって、表示システム２０の周囲コントラストを動的に制御することができる。これによって、高照度環境９０Ｂ下における基本表示部３０の可読性を向上させることができる一方、（室内又は夜間の）低照度環境９０Ｌ下における従来の可読性も維持することができる。
【００４２】
高照度環境９０Ｂ下における基本表示部３０の可読性の向上は、基本表示部３０の発光素子又は光源の強度を上げることにのみ頼って、表示画像３６の明るさを増す必要がないという効果がある。この機能はエネルギーを節約し、バッテリーを用いて基本表示部３０に電力を供給している場合には、所与のバッテリーの充電量に対し、動作時間の延伸に役立つ。
【００４３】
表示システム２０の例において、フォトクロミックカバーシート５１は、低照度環境９０Ｌ下において、可視スペクトルに対し、透過率Ｔ１を有し、高照度環境９０Ｂ下において、可視スペクトルに対し、透過率Ｔ２を有し、Ｔ２＜Ｔ１であることを条件に、８０％≦Ｔ１＜１００％であり、３０％≦Ｔ２≦８５％である。
【００４４】
「中性濃度層を備えた表示システム」
図５は図４Ｂと同様であり、ＡＬＲ要素５０が、ＡＬＲ構造体４０、従って表示システム２０の最上面を画成する、上面１５２を有する中性濃度層１５１を備えた、表示システム２０の例示的な実施の形態を示している。１つの例において、ＡＬＲ要素５０は、厚さＴＨ１であって、１つの例において０．５ｍｍ≦ＴＨ１≦５ｍｍの厚さ、及び固定透過率Ｔであって、３０％≦Ｔ≦８５％の透過率を有する、単一中性濃度層１５１から成っている。１つの例において、中性濃度層１５１は、中性濃度材料のシートの形態を成している。１つの例において、中性濃度層１５１は、表示システム２０のカバーシートの役割を果たしている。ＡＲ膜７０（図示せず）は任意である。
【００４５】
１つの例において、単一中性濃度層１５１は、中性濃度ガラス、ポリマー、アクリル、プラスチック等のシートから成っている。あるいは、１つの例において、中性濃度層１５１は、前述のＧｏｒｉｌｌａガラス等の化学的に強化されたガラスから成っている。中性濃度層１５１の中性濃度は、可視波長が実質的に等量減衰することを意味する。図５の表示システム２０の実施の形態における基本表示部３０はＯＬＥＤ系である。ＯＬＥＤ系の表示装置は、環境光１００に対し、比較的高い拡散反射性を有していることで知られている。
【００４６】
図５は、低照度、高照度、又は中間照度環境であってよい、周囲環境９０から表示システム２０に入射する環境光１００Ａを示している。環境光１００Ａの一部は、鏡面反射光１００ＳＲ（破線）として、中性濃度層１５１の上面１５２から鏡面反射する一方、殆どの環境光は上面を通して透過する。透過した環境光１００Ａは、中性濃度層１５１を通して伝搬するとき減衰する。減衰透過環境光１００Ａは、次に、透明接着剤層６０を通して伝搬し、この光の一部が、ＯＬＥＤ系の基本表示部３０の構造体３４によって折り返され、角度範囲φを有する折り返し環境光１０１が形成される。折り返し環境光１０１は、次に、透明接着剤層６０及び中性濃度層１５１を通して伝搬し、表示画像３６を見ている視聴者１２０に到達する。
【００４７】
このように、周囲環境９０の明るさとは関わりなく、中性濃度層１５１を２度通過することによって、２度減衰する。この二重の減衰を利用して、ＡＣＲを改善することができる。６００ルクスの環境光１００Ａで測定した、ＡＲ膜を備えた従来のＯＬＥＤ表示装置、ＡＲ膜を備えていない従来のＯＬＥＤ表示装置、及び（中性濃度ガラスの形態を成す）中性濃度層１５１を備え、ＡＲ膜を備えていない、例示的なＯＬＥＤ系の表示システムのＡＣＲを以下の表１に示す。
【００４８】
【表１】
2017512318.tif 000003
【００４９】
表１は、８０％の中性濃度を有し、ＡＲ膜７０を備えていない、ＯＬＥＤ系の表示システム２０が、ＡＲ膜を備えた又は備えていない、従来のＯＬＥＤ表示装置より高いＡＣＲを有していることを示している。
【００５０】
ここで、表示装置の上面のＡＲ膜が、表示装置の周囲コントラスト比の向上に役立つと広く理解されていることに留意されたい。しかしながら、本発明者等は、場合により、ＡＲ膜が、実際には周囲コントラス比を低下させる働きがあることを発見した。かかる場合の１つが、鏡面反射成分と比較して、大きな拡散成分を有する、相当量の折り返し光１０１をもたらす構造体３４を有する、ＯＬＥＤ系の表示装置３０である。ＡＲ膜は、構造体３４に到達する環境光１００の量を増加させることによって、視聴者１２０に到達する折り返し光１０１の量を増加させる。
【００５１】
「フォトクロミック接着剤層を備えた表示システム」
図６Ａは図４Ａと同様であり、ＡＬＲ構造体４０が、表面にＡＲ膜７０が設けられている上面８２を有する、透き通った（即ち、光学的に透明な）カバーシート８０を備えた、例示的な表示システム２０を示している。ＡＬＲ要素５０は、表面に透明なカバーシート８０が設けられている、上面２５２を有するフォトクロミック接着剤層２５１を備えている。１つの例において、図示のように、ＡＬＲ要素５０は、透明接着剤層６０を置換する、単一のフォトクロミック接着剤層２５１から成っている。
【００５２】
１つの例において、フォトクロミック接着剤層２５１は、フォトクロミック染料を光学的に透き通った（透明）な接着剤に混合することによって形成される。透明カバーシート８０をフォトクロミック接着剤層２５１に結合した後、ＵＶ架橋（例えば、ＵＶ硬化）を利用して凝固させることができる。
【００５３】
例示的な実施の形態において、暗くなると、可視波長スペクトル外、例えば、ＵＶ波長である、活性化波長の照射により、フォトクロミック接着剤層２５１が偏光性を持つ。換言すれば、フォトクロミック接着剤層２５１も、ダークモードで発生する偏光モードを有している。この場合、偏光性を持ったフォトクロミック接着剤層２５１の偏光方向を、下部の基本表示部３０の偏光方向と実質的に一致させ、悪影響を及ぼす交差偏光子効果を防止することによって、表示光３６を最大限透過する。
【００５４】
図６Ａにおいて、ＡＲ膜７０の上面７２に、ｚ方向に対して入射角θで入射する、低照度環境９０Ｌからの弱い（即ち、低輝度の）環境光１００Ｌが示されている。ＡＲ膜７０は、鏡面的に反射された光１００ＳＲ（即ち、破線）として示す、鏡面反射を低減するが、これは、より多くの弱い環境光１００Ｌが表示システム２０に入ることを意味している。表示システム２０の内部に透過した弱い環境光１００Ｌの一部は、透明カバーシート８０、及び環境光１００Ｌの強度が比較的弱いため、又は（例えば、ＵＶ光を発生しない室内照明からの）活性化紫外光が欠如しているために、透明モードであるフォトクロミック接着剤層２５１を通して伝搬する。
【００５５】
次に、環境光１００Ｌは、基本表示部３０の構造体３４に入射し、構造体によって角度範囲φにわたり折り返され、折り返し環境光１０１が形成される。折り返し環境光の一部（即ち、破線矢印）は、フォトクロミック接着剤層２５１、透明カバーシート８０、及びＡＲ膜７０を通して伝搬し、表示画像３６を見ている視聴者１２０に到達する。このように、低照度環境９０Ｌにおける表示システム２０の動作は、透き通ったカバーシートを使用する従来の表示装置と同じである。
【００５６】
図６Ｂに示す例において、表示システム２０は、明るい環境光１００Ｂを含む高照度環境９０Ｂ下に存在している。ＡＲ膜７０は、表示装置の上面４２からの明るい環境光１００Ｂの反射量を低減し、より多くの明るい環境光が、表示システム２０に入り、透明カバーシート８０を通して伝搬し、フォトクロミック接着剤層２５１に到達するようにする。
【００５７】
明るい環境光１００Ｂの非可視（例えば、紫外）活性波長によって、フォトクロミック接着剤層２５１において、フォトクロミック効果が誘発され、フォトクロミック接着剤層がダークモードに遷移し、可視スペクトルにわたり、透過率がＴ２に低下する（即ち、Ｔ２＜Ｔ１）。この低下した透過率Ｔ２によって、フォトクロミック接着剤層２５１が灰色に変化し、可視スペクトル波長の中性濃度（即ち、一般的に均一な）減衰を示す。フォトクロミック接着剤層２５１における明るい環境光１００Ｂの減衰によって、基本表示部３０の構造体３４に到達する明るい環境光の量が低減する。基本表示部３０の構造体３４に到達した明るい環境光１００Ｂの一部が、前述の角度範囲φにわたり折り返され、折り返し環境光１０１が形成される。
【００５８】
折り返し環境光１０１が、（暗くなった）フォトクロミック接着剤層２５１を通して伝搬して戻る際に、減衰して減衰折り返し環境光１０２が形成される。減衰折り返し環境光１０２は、ＡＲ膜７０を通過し、この光の一部が視聴者１２０に到達する。
【００５９】
暗くなると、フォトクロミック接着剤層２５１が偏光性を持つ場合、明るい環境光１００Ｂは、偏光性を持ったフォトクロミック接着剤層を最初に通過する間に更に減衰する。これは、明るい環境光１００Ｂが、当初ランダムに偏光されていることを想定したもので、このことは、ほとんどの高照度周囲環境９０Ｂ，特に屋外環境について言える。ランダムに偏光された光が完璧な偏光子を通過すると０．５に減衰する。偏光性を持つフォトクロミック接着剤層２５１による、明るい環境光の正確な減衰量は（例えば、かかる２つの偏光層を交差させることによって得られる吸光係数で測定した）実際の偏光度及び層厚ＴＨ１に依存する。
【００６０】
表示システム２０の例において、フォトクロミック接着剤層２５１は、透明モードにおいて、低照度環境９０Ｌ下における可視スペクトルに対しＴ１の透過率を有し、ダークモードにおいて、可視スペクトルに対しＴ２の透過率を有し、Ｔ２＜Ｔ１であることを条件に、８０％≦Ｔ１＜１００％であり、３０％≦Ｔ２≦８５％である。１つの例において、フォトクロミック接着剤層２５１は、厚さＴＨ１であって０．０５ｍｍ≦ＴＨ１≦５ｍｍの厚さを有している。
【００６１】
このように、表示システム２０が高照度環境９０Ｂ下にあるとき、明るい環境光１００Ｂは、フォトクロミック接着剤層２５１を２度通過することによって、２度減衰（且つ、ダークモードにおいて、層が偏光性を持つ場合、０．５までの光減衰）するが、表示システムが低照度環境９０Ｌ下にあるときは、実質的に減衰は生じない。
【００６２】
フォトクロミック接着剤層２５１をＡＬＲ構造体４０に使用することによって、表示システム２０の周囲コントラストを動的に制御することができる。これによって、高照度環境９０Ｂ下における基本表示部３０の可読性を向上させることができる一方、（室内又は夜間の）低照度環境９０Ｌ下における従来の可読性も維持することができる。高照度環境９０Ｂ下における基本表示部３０の可読性の向上は、基本表示部３０の発光素子又は光源の強度を上げることにのみ頼って、表示画像３６の明るさを増す必要がないという効果がある。この機能はエネルギーを節約し、バッテリーを用いて基本表示部３０に電力を供給している場合には、所与のバッテリーの充電量に対し、動作時間の延伸に役立つ。
【００６３】
「フォトクロミック層を備えた表示システム」
図７Ａは図６Ａと同様であり、ＡＬＲ構造体４０が、上面８２にＡＲ膜７０を備えた、透明カバーシート８０と透明接着剤層６０との間に挟持された、ＡＬＲ要素５０を備えた例示的な表示システム２０を示す図である。
【００６４】
ＡＬＲ要素５０は、上面３５２を有するフォトクロミック層３５１を備えている。１つの例において、ＡＬＲ要素５０は単一のフォトクロミック層３５１から成っている。フォトクロミック層３５１は、ガラス基板に、有機フォトクロミック染料のモノマー混合物をコーティングし、次に、例えば、熱又はＵＶ曝露によって、硬化させることによって形成することができる。
【００６５】
例示的な実施の形態において、暗くなると、可視波長外の、例えば、ＵＶ波長である、活性化波長の照射により、フォトクロミック層３５１が偏光性を持つ。換言すれば、フォトクロミック層３５１も、ダークモードで発生する偏光モードを有している。この場合、偏光性を持ったフォトクロミック層３５１の偏光方向を、下部の基本表示部３０の偏光方向と実質的に一致させ、悪影響を及ぼす交差偏光子効果を防止することによって、表示光３６を最大限透過する。
【００６６】
図７Ａにおいて、（任意の）ＡＲ膜７０の上面７２に、ｚ方向に対して入射角θで入射する、低照度環境９０Ｌからの弱い（即ち、低輝度の）環境光１００Ｌが示されている。ＡＲ膜７０は、鏡面的に反射された光１００ＳＲ（即ち、破線）として示す、鏡面反射を低減するが、これは、より多くの弱い環境光１００Ｌが表示システム２０に入ることを意味している。表示システム２０の内部に透過した弱い環境光１００Ｌの一部は、透明カバーシート８０、及び環境光１００Ｌの強度が比較的弱いため、又は（例えば、ＵＶ光を発生しない室内照明からの）活性化紫外光が欠如しているために、実質的に透明な透過率Ｔ１を有するフォトクロミック層３５１を通して伝搬する。
【００６７】
次に、弱い環境光１００Ｌは、透明接着剤層６０を通過して、基本表示部３０の構造体３４に入射し、そこから拡散的に反射することによって、折り返し環境光１０１が形成される。折り返し環境光の一部（即ち、破線矢印）は、接着剤層６０、フォトクロミック層３５１、透明カバーシート８０、及びＡＲ膜７０を通して伝搬し、表示画像３６を見ている視聴者１２０の目に入る。このように、低照度環境９０Ｌにおける表示システム２０の動作は、従来の表示装置と同じである。
【００６８】
図７Ｂに示す例において、表示システム２０は、明るい環境光１００Ｂを含む高照度環境９０Ｂ下に存在している。ＡＲ膜７０は、ＡＬＲ構造体４０の上面４２からの明るい環境光１００Ｂの反射量を低減し、より多くの明るい環境光が、透明カバーシート８０に入り、フォトクロミック層３５１まで伝搬する。
【００６９】
明るい環境光１００Ｂの非可視（例えば、紫外）活性化成分によって、フォトクロミック層３５１において、フォトクロミック効果が誘発され、フォトクロミック層がダークモードに遷移し、可視スペクトルにわたり、透過率がＴ２に低下する（即ち、Ｔ２＜Ｔ１）。この低下した透過率によって、フォトクロミック層３５１が灰色に変化し、可視スペクトル波長の中性濃度（即ち、一般的に均一な）減衰を示す。フォトクロミック層３５１における低下した透過率Ｔ２による、明るい環境光１００Ｂの減衰によって、基本表示部３０の構造体３４に到達する明るい環境光の量が低減する。基本表示部３０の構造体３４に到達した明るい環境光１００Ｂの一部が、前述の角度範囲φにわたり折り返され、折り返し環境光１０１が形成される。
【００７０】
折り返し環境光１０１が、透明接着剤層６０及びフォトクロミック層３５１を通して伝搬して戻る際に、減衰して減衰折り返し環境光１０２が形成される。減衰折り返し環境光１０２は、透明カバーシート８０及びＡＲ膜７０を通過し、この光の一部が視聴者１２０の目に入る。
【００７１】
暗くなると、フォトクロミック層３５１が偏光性を持つ場合、明るい環境光１００Ｂは、偏光性を持ったフォトクロミック接着層を最初に通過する間に更に減衰する。これは、明るい環境光１００Ｂが、当初ランダムに偏光されていることを想定したもので、このことは、ほとんどの高照度周囲環境９０Ｂ、特に屋外環境について言える。前述のように、ランダムに偏光された光が完璧な偏光子を通過すると１／２に減衰する。偏光性を持つフォトクロミック層３５１による、明るい環境光１００Ｂの正確な減衰量は（例えば、かかる２つの偏光層を交差させることによって得られる吸光係数で測定した）実際の偏光強度及び層厚ＴＨ１に依存する。
【００７２】
表示システム２０の例において、フォトクロミック層３５１は、低照度環境９０Ｌにおいて、可視スペクトルに対しＴ１の透過率を有し、高照度環境９０Ｂにおいて、可視スペクトルに対しＴ２の透過率を有し、Ｔ２＜Ｔ１であることを条件に、８０％≦Ｔ１＜１００％であり、３０％≦Ｔ２≦８５％である。１つの例において、フォトクロミック層３５１は、厚さＴＨ１であって、０．０５ｍｍ≦ＴＨ１≦５ｍｍの厚さを有している。
【００７３】
このように、表示システム２０が高照度環境９０Ｂ下にあるとき、明るい環境光１００Ｂは、フォトクロミック層３５１を２度通過することによって、２度減衰（且つ、層が偏光性を持つ場合、０．５までの光減衰）するが、表示システムが低照度環境９０Ｌ下にあるときは、実質的に減衰は生じない。
【００７４】
フォトクロミック層３５１をＡＬＲ構造体４０に使用することによって、ユーザー１２０に到達する減衰折り返し環境光１０２の量を動的に制御して、表示システム２０の周囲コントラストを向上させることができる。これによって、高照度環境９０Ｂ下における、基本表示部３０の表示画像３６可読性を向上させることができる一方、（室内又は夜間の）低照度環境９０Ｌ下における従来の可読性も維持することができる。高照度環境９０Ｂ下における基本表示部３０の可読性の向上は、基本表示部３０の発光素子又は光源の強度を上げることにのみに頼る必要がないという効果がある。この機能はエネルギーを節約し、バッテリーを用いて基本表示部３０に電力を供給している場合には、所与のバッテリーの充電量に対し、動作時間の延伸に役立つ。
【００７５】
添付の特許請求の範囲に規定する本開示の精神及び範囲を逸脱せずに、本明細書に記載の本開示の好ましい実施の形態に対して、様々な改良が可能であることは、当業者にとって明らかであろう。従って、本開示は、添付の特許請求の範囲及びその均等物に属することを条件に、様々な改良及び変形をカバーするものである。
【００７６】
以下、本発明の好ましい実施形態を項分け記載する。
【００７７】
実施形態１
低照度又は高照度周囲環境のいずれかにおいて、表示画像を表示する表示システムにおいて、
前記表示画像を生成するように構成された基本表示部であって、有機発光ダイオード（ＯＬＥＤ）表示装置又は液晶表示装置（ＬＣＤ）の少なくとも１つを備え、上面及び該上面に入射した環境光から折り返し環境光を形成する構造体を有する表示部、
前記基本表示部の前記上面にインタフェースし、上面及びフォトクロミック要素を有する環境光低減（ＡＬＲ）構造体であって、前記環境光が、前記基本表示部に向けて、前記フォトクロミック要素を通して伝搬し、前記構造体と相互作用して前記折り返し環境光を形成し、該折り返し環境光が、前記フォトクロミック要素を通して、前記上面から外部に伝搬するＡＬＲ構造体、
前記低照度周囲環境において、通過する環境光又は折り返し環境光のいずれも実質的に減衰させない、透明モードを有する前記フォトクロミック要素、及び
前記高照度周囲環境において、通過する環境光及び折り返し環境光を実質的に減衰させる、ダークモードを有する前記フォトクロミック要素
を備えた、表示システム。
【００７８】
実施形態２
前記フォトクロミック要素が、前記透明モードにおいて透過率Ｔ１、前記ダークモードにおいて透過率Ｔ２を有し、８０％≦Ｔ１≦１００％、３０％≦Ｔ２≦８５％であって、Ｔ２＜Ｔ１である、実施形態１記載の表示システム。
【００７９】
実施形態３
前記ダークモードが、前記フォトクロミック要素が偏光性を持つ偏光モードを含む、実施形態１又は２記載の表示システム。
【００８０】
実施形態４
前記フォトクロミック要素が、フォトクロミックカバーシートを備えた、実施形態１〜３いずれか１項記載の表示システム。
【００８１】
実施形態５
前記フォトクロミックカバーシートが、化学的に強化されたフォトクロミックガラスの単一のシートから成る、実施形態４記載の表示システム。
【００８２】
実施形態６
前記ＡＬＲ構造体が、前記フォトクロミック要素を挟持する、透明接着剤層及び反射防止膜を備え、該透明接着剤層が、前記ＡＬＲ構造体を前記基本表示部の前記上面に取り付けている、実施形態１〜３いずれか１項記載の表示システム。
【００８３】
実施形態７
前記ＡＬＲ要素が、前記ＡＬＲ構造体を前記基本表示部の前記上面に取り付けている、フォトクロミック接着剤層を備えた、実施形態１〜３いずれか１項記載の表示システム。
【００８４】
実施形態８
前記ＡＬＲ構造体が、前記フォトクロミック接着剤層の上に透明カバーシート、及び該透明カバーシートの上に反射防止層を備えた、実施形態７記載の表示システム。
【００８５】
実施形態９
前記ＡＬＲ構造体が、透明接着剤層及び透明カバーシートを備え、前記フォトクロミック要素が、前記透明接着剤層と前記透明カバーシートによって挟持された、フォトクロミック層を備えた、実施形態１〜３いずれか１項記載の表示システム。
【００８６】
実施形態１０
前記ＡＬＲ構造体が、前記透明カバーシートの上に、反射防止膜を更に備えた、実施形態９記載の表示システム。
【００８７】
実施形態１１
低照度又は高照度周囲環境のいずれかにおいて、表示画像を表示する表示システムにおいて、
前記表示画像を生成するように構成された基本表示部であって、有機発光ダイオード（ＯＬＥＤ）表示装置を備え、上面及び該上面に入射した環境光から折り返し環境光を形成する構造体を有する表示部、及び
前記基本表示部の前記上面にインタフェースし、上面及び中性濃度要素を有する環境光低減（ＡＬＲ）構造体であって、前記環境光が、前記基本表示部に向けて、前記中性濃度要素を通して伝搬し、前記構造体と相互作用して前記折り返し環境光を形成し、該折り返し環境光が、前記中性濃度要素を通して、前記上面から伝搬するＡＬＲ構造体を備え、
前記中性濃度要素が、可視波長に対し固定透過率Ｔであって、３０％≦Ｔ≦８５％の透過率を有する、表示システム。
【００８８】
実施形態１２
前記中性濃度要素が、厚さＴＨ１であって、０．５ｍｍ≦ＴＨ１≦５ｍｍの厚さを有する、単一の中性濃度ガラスシートから成る、実施形態１１記載の表示システム。
【００８９】
実施形態１３
前記中性濃度ガラスシートが、化学的に強化されたガラスから成っている、実施形態１２記載の表示システム。
【００９０】
実施形態１４
前記ＡＬＲ構造体が、
上面及び下面を有する前記単一の中性濃度ガラスシート、及び
前記中性濃度ガラスシートの前記下面と前記基本表示部の前記上面との間に存在する      透明接着剤層から成る、実施形態１２又は１３記載の表示装置。
【００９１】
実施形態１５
上面を有し、上面及び環境光から折り返し環境光を形成する構造体を有する基本表示部を備えた、表示システムによって放射される折り返し環境光の量を低減する方法において、
前記基本表示部の上面の近傍に、低環境光を含む低照度環境において透明モードを有し、高環境光を含む高照度環境においてダークモードを有する、フォトクロミック要素を配置するステップ、
前記低照度環境且つ前記透明モードであるとき、前記フォトクロミック要素を通して、前記低環境光を前記構造体に送って前記折り返し環境光を形成し、該折り返し環境光の第１の量を、前記フォトクロミック要素を通して、前記表示上面から外部に放射するステップ、及び
前記高照度環境且つ前記ダークモードであるとき、前記フォトクロミック要素を通して、前記高環境光を前記構造体に送って前記折り返し環境光を形成し、該折り返し環境光を前記フォトクロミック要素に通して、前記表示上面から放射される、前記折り返し環境光の第２の量を生成するステップ、
を有してなり、
前記折り返し環境光の前記第２の量が、該折り返し環境光の前記第１の量より少ない、方法。
【００９２】
実施形態１６
前記フォトクロミック要素が、フォトクロミックカバーシートを備えた、実施形態１５記載の方法。
【００９３】
実施形態１７
前記フォトクロミック要素が、透明カバーシートを前記基本表示部に固定する、フォトクロミック接着剤を備えた、実施形態１５記載の方法。
【００９４】
実施形態１８
前記フォトクロミック要素が、透明接着剤層と透明カバーシートとの間に配置された、フォトクロミック層を備えた、実施形態１５記載の方法。
【００９５】
実施形態１９
前記フォトクロミック要素が、前記透明モードにおいて透過率Ｔ１、前記ダークモードにおいて透過率Ｔ２を有し、８０％≦Ｔ１＜１００％、３０％≦Ｔ２≦８５％であって、Ｔ２＜Ｔ１である、実施形態１５〜１８いずれか１項記載の方法。
【００９６】
実施形態２０
前記ダークモードが、前記フォトクロミック要素が偏光性を持つ偏光モードを含む、実施形態１５〜１８いずれか１項記載の方法。
【００９７】
実施形態２１
上面及び環境光から折り返し環境光を形成する構造体を有する、有機発光ダイオード（ＯＬＥＤ）の基本表示部から放射される、前記折り返し環境光の量を低減する方法において、
前記基本表示部の上面の近傍に、固定透過率Ｔ、厚さＴＨ１、及び周囲環境と直接インタフェースする上面を有する中性濃度要素であって、３０％≦Ｔ≦８５％、０．５ｍｍ≦ＴＨ１≦５ｍｍである要素を配置するステップ、
前記中性濃度要素を通して、前記環境光を前記構造体に送って前記折り返し環境光を形成するステップ、及び
前記折り返し環境光を、前記中性濃度要素及び前記上面を通して、前記周囲環境に放射するステップ
を有してなる、方法。
【００９８】
実施形態２２
前記中性濃度要素が、中性濃度ガラスのシートから成る、実施例２１記載の方法。
【符号の説明】
【００９９】
１０    表示装置
２０    表示システム
３０    基本表示部
３４    構造体
３６    表示光（表示画像）
４０    環境光低減（ＡＬＲ）構造体
５０    ＡＬＲ要素
６０    透明接着剤層
５１    フォトクロミックカバーシート
７０    反射防止（ＡＲ）膜
８０    透明カバーシート
９０    周囲環境
１００  環境光
１０１  折り返し環境光
１２０  視聴者
１５１  中性濃度層
２５１  フォトクロミック接着剤層
３５１  フォトクロミック層
【図１】
2017512318.tif 000004
【図２】
2017512318.tif 000005
【図３】
2017512318.tif 000006
【図４Ａ】
2017512318.tif 000007
【図４Ｂ】
2017512318.tif 000008
【図５】
2017512318.tif 000009
【図６Ａ】
2017512318.tif 000010
【図６Ｂ】
2017512318.tif 000011
【図７Ａ】
2017512318.tif 000012
【図７Ｂ】
2017512318.tif 000013
【国際調査報告】
2017512318.tif 000014
2017512318.tif 000015
2017512318.tif 000016
2017512318.tif 000017
2017512318.tif 000018